(57)【要約】【課題】ビニール製買物袋に比し魅力的な特徴を有する買物用バッグを提供することを提供する。【解決手段】外袋１０と、該外袋１０の内側に設けられた内袋１２と、利用者の肩に掛けるのに十分な長さを有する取手部１４と、を備えた買物用バッグにおいて、前記内袋１２には、断熱材が設けられており、前記取手部１４は、前記取手部１４を長手方向に沿って折曲可能な第１折部３６と、該第１折部３６の山側と反対側の面を山側として前記取手部を長手方向に沿って折曲可能な第２折部３８と、前記第１折部３６を中心に前記取手部１４を折り曲げた際に、前記取手部１４の前記第２折部３８の近傍と重なる部分４０、及び前記第２折部３８の近傍を脱着させる第１脱着部材４２と、前記第２折部３８を中心に前記取手部１４を折り曲げた際に、前記取手部１４の前記第１折部３６の近傍と重なる部分４４、及び前記第１折部３６の近傍を脱着させる第２脱着部材４６と、を備えており、第１折部３６と第２折部３８を中心に折り曲げた際の長さが手で把持するのに適した長さであることを特徴とする。【選択図】図５
2005137737.tif 000002
【特許請求の範囲】
【請求項１】
外袋と、該外袋の内側に設けられた内袋と、を備えた買物用バッグにおいて、前記内袋には、断熱材が備えられていることを特徴とする買物用バッグ。
【請求項２】
袋部と、利用者の肩に掛けるのに十分な長さを有する取手部と、を備えた買物用バッグにおいて、
前記取手部は、前記取手部を長手方向に沿って折曲可能な第１折部と、該第１折部の山側と反対側の面を山側として前記取手部を長手方向に沿って折曲可能な第２折部と、前記第１折部を中心に前記取手部を折り曲げた際に、前記取手部の前記第２折部の近傍と重なる部分、及び前記第２折部の近傍を脱着させる第１脱着部材と、前記第２折部を中心に前記取手部を折り曲げた際に、前記取手部の前記第１折部の近傍と重なる部分、及び前記第１折部の近傍を脱着させる第２脱着部材と、を備えており、第１折部と第２折部を中心に折り曲げた際の長さが手で把持するのに適した長さであることを特徴とする買物用バッグ。
【請求項３】
前記第１折部と前記第２折部を中心に折り曲げた際に前記取手部が重なる部分が、前記取手部の中心に位置するように構成されていることを特徴とする請求項１記載の買物用バッグ。
【発明の詳細な説明】
【技術分野】
【０００１】
本発明は、収納性や運搬性に優れた買物用バッグに関する。
【背景技術】
【０００２】
従来から、スーパーマーケットなどは、買物客に購入した商品を収納させ、持ち帰えらせるためのビニール製買物袋を無料で配布している。このビニール製買物袋は、使用後破棄されるので、資源の有効活用やリサイクルなどの観点から好ましくなく、近年、スーパーマーケットなどは、買物客に自らの買物バッグの持参を呼び掛け、ビニール製買物袋の使用量を減らす傾向にある。
【０００３】
このため、様々な持参用買物袋が提案されている（特許文献１）。この特許文献１に記載された買物袋は、スーパーマーケットなどの店内で使用される買物篭の内側に被せて使用できるように構成されている。
【０００４】
【特許文献１】特開２０００−２２５０１５号公報
【発明の開示】
【発明が解決しようとする課題】
【０００５】
しかしながら、従来の持参用買物袋は、魅力的な特徴がなく、そのためスーパーマーケットで配布するビニール製買物袋に代えて使用する者が少ない。この結果、ビニール製買物袋の使用量を減らすことができないという問題が生じている。
【０００６】
そこで、本発明は、ビニール製買物袋に比し魅力的な特徴を有する買物用バッグを提供することを目的とする。
【課題を解決するための手段】
【０００７】
以上の目的を達成するため、本発明は、外袋と、該外袋の内側に設けられた内袋と、を備えた買物用バッグにおいて、前記内袋には、断熱材が備えられていることを特徴とする買物用バッグである。
【０００８】
このように断熱材が設けられた内袋を備えることにより、例えば冷凍食品や生鮮食品などを内袋に収容することにより、冷凍状態や鮮度を維持させてこれら商品を持ち運ぶことができる。また、例えば、温められた食品を内袋に収容することにより、温められた保温状態を維持させて商品を持ち運ぶことができる。前記内袋は、例えば内側に断熱材として発砲ポリエチレンを備え、外側にアルミ蒸着フィルムを備えた断熱シートによって構成されていることが好ましい。
【０００９】
また、本発明は、袋部と、利用者の肩に掛けるのに十分な長さを有する取手部と、を備えた買物用バッグにおいて、前記取手部は、前記取手部を長手方向に沿って折曲可能な第１折部と、該第１折部の山側と反対側の面を山側として前記取手部を長手方向に沿って折曲可能な第２折部と、前記第１折部を中心に前記取手部を折り曲げた際に、前記取手部の前記第２折部の近傍と重なる部分、及び前記第２折部の近傍を脱着させる第１脱着部材と、前記第２折部を中心に前記取手部を折り曲げた際に、前記取手部の前記第１折部の近傍と重なる部分、及び前記第１折部の近傍を脱着させる第２脱着部材と、を備えており、第１折部と第２折部を中心に折り曲げた際の長さが手で把持するのに適した長さであることを特徴とするものである。
【００１０】
このような取手部を構成することにより、第１折部と第２折部を中心に折り曲げて、第１脱着部材と第２脱着部材によって取手部のそれぞれの箇所を取り付けることにより、取手部を手で把持する状態で使用することができ、第１脱着部と第２脱着部を離して取手部を伸ばすことにより、肩に掛けた状態で使用することができる。本発明に係る買物用バッグにおいて、前記第１折部と前記第２折部を中心に折り曲げた際に前記取手部が重なる部分が、前記取手部の中心に位置するように構成されていることが好ましい。
【発明の効果】
【００１１】
以上のように、本発明に係る買物用バッグによれば、ビニール製買物袋に比し魅力的な特徴を有する買物用バッグを提供することができる。
【発明を実施するための最良の形態】
【００１２】
次に、本発明に係る買物用バッグの実施例について図面に基づいて説明する。図１は、本実施例に係る買物用バッグの斜視図であり、図２は、その正面図であり、図３は、その底面図であり、図４は、その平面図である。図５は、図２のＶ−Ｖ線に沿った断面図であり、図６は、図５のＶＩ−ＶＩ線に沿った断面図である。本実施例に係る買物バッグは、外袋１０と、外袋１０の内側に設けられた内袋１２と、外袋１０の上縁１０Ａに設けられた一対の取手部１４、１４と、を備えている。
【００１３】
外袋１０は、上方が開口された直方体状に形成されており、撥水性に優れた素材で構成されている。外袋１０の左右両側面１０Ｂ、１０Ｃのそれぞれ上方の両角には、互いに嵌合可能な雄牡丹１６及び雌牡丹１８が設けられている。また、外袋１０の底面１０Ｄの前後縁には、互いに係合可能なファスナー部２０Ａ、２０Ｂが設けられている。そして、左右両側面１０Ｂ、１０Ｃそれぞれの縦方向に延びる中心線を内側に折り込んで、それぞれの雄牡丹１６及び雌牡丹１８を嵌め合わせることにより、図７に示すような側方三角形の状態で使用することができ、さらに底面Ｄの左右方向に延びる中心線を内側に折り込んで、ファスナー部２０Ａ、２０Ｂを係合させて閉めることにより、図８に示すように持ち運びに便利な平面状態で使用することができる。
【００１４】
外袋１０の底面１０Ｄの内側には、底面１０Ｄよりも若干小さめの長方形状に形成された底面板２２が設けられており、これにより重いものを外袋１０内に収容しても外袋１０の形が崩れるのを防止することができる。この底面板２２は、背面側縁を中心として揺動して図９に示すように立てた状態にすることができるよう構成されており、このように立てた状態にすることにより、上述した図８に示す平面状態にすることができる。また、外袋１０の右側面の１０Ｂ及び正面１０Ｅの内側には、図４に示すように収納ポケット２４、２６が設けられており、これら収納ポケットには、移動体電話や財布などを収納できるように構成されている。また外袋１０の左側面１０Ｃの内側には、図４に示すように両端がその内側に縫合された帯体２８が設けられており、この帯体２８によって購入したネギや大根などある程度長さを有するものを収納することができる。
【００１５】
内袋１２は、図５に示すように外袋１０の背面１０Ｆの内側に設けられており、例えば内側に断熱材として発砲ポリエチレンを備え、外側にアルミ蒸着フィルムを備えた断熱シートによって構成されている。この内袋１２の上方には、開口部１２Ａが設けられており、底面部１２Ｂは、板状に形成されている。内袋１２は、この底面部１２Ｂを図９に示すようにその側面方向に折り畳むことによって、上述した図８に示す平面状態にすることができるように構成されている。内袋１２の開口部１２Ａの前縁と後縁には、互いに係着可能なベロクロファスナー（登録商標）３０、３２が設けられており、このベロクロファスナー３０、３２によって開口部１２Ａを閉じることによって内袋１２内の断熱性を確保することができる。さらに、内袋１２は、その底面１２Ｂが底板２２に接する、縦方向の大きさを有する。
【００１６】
取手部１４は、図１０に示すように取手部１４を長手方向に沿って折曲可能な第１折部３６と、第１折部３６の山側と反対側の面を山側として取手部を長手方向に沿って折曲可能な第２折部３８と、第１折部３６を中心に取手部１４を折り曲げた際に、取手部１４の第２折部３８の近傍と重なる部分４０、及び第２折部３８の近傍を脱着させる第１脱着部材４２と、第２折部３８を中心に取手部１４を折り曲げた際に、取手部１４の第１折部３６の近傍と重なる部分４４、及び第１折部３６の近傍を脱着させる第２脱着部材４６と、を備えている。取手部１４は、第１折部３６と第２折部３８を中心に折り曲げて、第１着脱部材４２と第２着脱部材４６を取り付けた際の長さが手で持つのに適した長さであり、図１１に示すように第１着脱部材４２と第２着脱部材４６を取り付けずに展ばした際の長さが肩に掛けるのに適した長さに構成されている。第１着脱部材４２及び第２着脱部材４６は、互いに嵌合可能な一対の雄牡丹及び雌牡丹から構成されており、これらは、引っ張ることによって容易に互いに脱離させることができるように構成されている。また、第１折部３６及び第２折部３８を中心に折り曲げた際に取手部１４が重ねられる部分は、取手部１４の中心に位置するように構成されている。さらに、取手部１４の内側には、綿やスポンジなど緩衝材が設けられている。このため、第１折部３６及び第２折部３８を中心に折り曲げた際に取手部１４が重ねられる部分には、ある程度の柔軟性を与えることができ、把持した際に良好な感触を与えることができる。
【図面の簡単な説明】
【００１７】
【図１】本発明に係る買物用バッグの実施例の斜視図である。
【図２】本実施例に係る買物用バッグの正面図である。
【図３】本実施例に係る買物用バッグの底面図である。
【図４】本実施例に係る買物用バッグの平面図である。
【図５】図２のＶ−Ｖ線に沿った断面図である。
【図６】図５のＶＩ−ＶＩ線に沿った断面図である
【図７】本実施例に係る買物用バッグの使用状態を示す斜視図である。
【図８】本実施例に係る買物用バッグの使用状態を示す斜視図である。
【図９】本実施例に係る買物用バッグの使用状態を示す図５に対応する断面図である。
【図１０】本実施例に係る買物用バッグの取手部の一部拡大図である。
【図１１】本実施例に係る買物用バッグの使用状態を示す斜視図である。
【符号の説明】
【００１８】
１０   外袋
１２   内袋
１４   取手部
３６   第１折部
３８   第２折部
【図１】
2005137737.tif 000003
【図２】
2005137737.tif 000004
【図３】
2005137737.tif 000005
【図４】
2005137737.tif 000006
【図５】
2005137737.tif 000007
【図６】
2005137737.tif 000008
【図７】
2005137737.tif 000009
【図８】
2005137737.tif 000010
【図９】
2005137737.tif 000011
【図１０】
2005137737.tif 000012
【図１１】
2005137737.tif 000013